(57)【要約】【課題】大容量の太陽電池についての測定を正しく行う。【解決手段】2ｍｓの期間、電子負荷２３の制御電圧CNTVを、太陽電池２の出力を短絡させたときに流れると考えられる最大電流の１/10の電流が電子負荷２３に流れるように設定し、太陽電池２のキャパシタンスの蓄電分を放電させる。そして、その後に、600μs電子負荷２３の制御電圧CNTVを、所望電流が電子負荷２３に流れる電圧TGに設定し、太陽電池２の出力電流と出力電圧を測定する。【選択図】図５
2011054887.tif 000002
【特許請求の範囲】
【請求項１】
太陽電池の出力端子間に配置される可変負荷装置を備えた太陽電池特性測定装置を用いて、前記太陽電池の出力特性を測定する測定方法であって、
第１の期間、前記可変負荷装置の負荷値を当該可変負荷装置に前記太陽電池から流れる電流が所定値以下に制限される値に維持するステップと、
前記第１の期間の経過後の第２の期間中、前記可変負荷装置の負荷値を所望値に維持しつつ、前記太陽電池の出力電圧と出力電流を測定するステップとを有することを特徴とする太陽電池の出力特性の測定方法。
【請求項２】
太陽電池に接続され、接続された太陽電池の出力特性を測定する太陽電池特性測定装置であって、
前記接続された太陽電池の出力端子間の電圧を検出する電圧検出部と、
前記接続された太陽電池の出力端子間に配置される可変負荷装置と、
前記接続された太陽電池の出力端子間に流れる電流を検出する電流検出部と、
測定制御部とを有し、
前記測定制御部は、第１の期間、前記可変負荷装置の負荷値を当該可変負荷装置に前記太陽電池から流れる電流が所定値以下に制限される値に維持した後に、第２の期間、前記可変負荷装置の負荷値を所望値に維持すると共に、前記第２の期間中に前記電圧検出部が検出した電圧を前記太陽電池の出力電圧として測定し、前記第２の期間中に前記電流検出部が検出した電流を前記太陽電池の出力電流として測定する測定シーケンスを実施することを特徴とする太陽電池特性測定装置。
【請求項３】
請求項２記載の太陽電池測定装置であって、
前記測定制御部は、前記所望値を変化させながら前記測定シーケンスを繰り返し実施すると共に、各測定シーケンスで測定した出力電流と出力電圧に基づいて、前記太陽電池のI-V特性を算定することを特徴とする太陽電池測定装置。
【発明の詳細な説明】
【技術分野】
【０００１】
本発明は、太陽電池アレイやソーラーパネルなどの太陽電池の特性を測定する技術に関するものである。
【背景技術】
【０００２】
太陽電池アレイやソーラーパネルなどの太陽電池の特性を測定する技術としては、太陽電池のI-V特性などの出力特性を測定する測定装置が知られている（たとえば、特許文献１）。
【先行技術文献】
【特許文献】
【０００３】
【特許文献１】特開2009-71119号公報
【発明の概要】
【発明が解決しようとする課題】
【０００４】
太陽電池はキャパシタンスを備えているため、太陽電池から測定装置への通電を開始した後、キャパシタンスの蓄電分の放電が完了するまでは、その発電による出力の測定を正しく行うことができない。一方、このような問題は、太陽電池から測定装置への通電期間を長くし、太陽電池のキャパシタンスの蓄電分の放電が完了してから太陽電池の出力の測定を行うようにすれば解決するが、このように通電期間を長くすると、大容量の太陽電池の短絡電流などの大電流領域の出力を測定する場合等には、大電流の長時間の通電によって測定装置が破壊されてしまうことがある。
【０００５】
そこで、本発明は、大容量の太陽電池についても、正しく測定を行うことのできる太陽電池の測定装置を提供することを課題とする。
【課題を解決するための手段】
【０００６】
前記課題達成のために、本発明は、太陽電池の出力端子間に配置される可変負荷装置を備えた太陽電池特性測定装置を用いて、前記太陽電池の出力特性を測定する測定方法として、第１の期間、前記可変負荷装置の負荷値を当該可変負荷装置に前記太陽電池から流れる電流が所定値以下に制限される値に維持するステップと、前記第１の期間の経過後の第２の期間中、前記可変負荷装置の負荷値を所望値に維持しつつ、前記太陽電池の出力電圧と出力電流を測定するステップとを備えた太陽電池の出力特性の測定方法を提供する。
【０００７】
また、本発明は、このような測定方法を実施する装置として、太陽電池に接続され、接続された太陽電池の出力特性を測定する太陽電池特性測定装置に、前記接続された太陽電池の出力端子間の電圧を検出する電圧検出部と、前記接続された太陽電池の出力端子間に配置される可変負荷装置と、前記接続された太陽電池の出力端子間に流れる電流を検出する電流検出部と、測定制御部とを備えた測定装置も提供する。ここで、前記測定制御部は、第１の期間、前記可変負荷装置の負荷値を当該可変負荷装置に前記太陽電池から流れる電流が所定値以下に制限される値に維持した後に、第２の期間、前記可変負荷装置の負荷値を所望値に維持すると共に、前記第２の期間中に前記電圧検出部が検出した電圧を前記太陽電池の出力電圧として測定し、前記第２の期間中に前記電流検出部が検出した電流を前記太陽電池の出力電流として測定する測定シーケンスを実施するようにしたものである。
【０００８】
ここで、このような測定装置において、前記測定制御部を、前記所望値を変化させながら前記測定シーケンスを繰り返し実施すると共に、各測定シーケンスで測定した出力電流と出力電圧に基づいて、前記太陽電池のI-V特性を算定するように構成してもよい。
これらのような測定方法や測定装置によれば、第１の期間中に太陽電池のキャパシタンスの蓄電分の放電を完了させることができるので、可変負荷装置に前記太陽電池から流れる電流が所望値となる値に維持する第２の期間が短くても、当該第２の期間中における出力電流は安定する。よって、大容量の太陽電池についても、長期間大電流を測定装置に流し続けることなく、その出力電流や出力電圧を正しく測定することができるようになる。よって、大容量の太陽電池についても、大電流の長時間の通電によって測定装置を破壊することなく、その測定を正しく行うことができる。
【発明の効果】
【０００９】
以上のように、本発明によれば、大容量の太陽電池についても、正しく測定を行うことのできる太陽電池の測定装置を提供することができる。
【図面の簡単な説明】
【００１０】
【図１】本発明の実施形態に係る測定装置の使用態様を示す図である。
【図２】本発明の実施形態に係る測定装置の構成を示す図である。
【図３】本発明の実施形態に係る測定装置の表示例を示す図である。
【図４】本発明の実施形態に係る測定処理を示すフローチャートである。
【図５】本発明の実施形態に係る測定装置の測定動作を示すタイミング図である。
【発明を実施するための形態】
【００１１】
以下、本発明の実施形態に係る測定装置について説明する。
本実施形態に係る測定装置は、太陽電池の開放電圧や短絡電流やI-V特性（電流-電圧特性）等の各種出力特性を測定する装置である。
また、図１に示すように、測定装置１は、携帯型の装置であり、太陽電池２の設置場所において、接続ケーブル１１を用いて太陽電池（太陽電池アレイ、ソーラパネル等を含む）２の出力端子に接続して、太陽電池２の出力特性を測定するために用いられる。
また、測定装置１の前面には、各種のスイッチ１２、ＬＣＤであるところの表示装置１３、表示装置１３の表示面上に配置されたタッチパネル１４が設けられている。
図２に、このような測定装置１の内部構成を示す。
図示するように、測定装置１は、上述したスイッチ１２、表示装置１３、タッチパネル１４の他に、ＵＳＢ端子１５、ＵＳＢ通信インタフェース１６、ＣＰＵ回路であるところの制御部１７、電圧検出回路１８、電圧検出用ＡＤコンバータ１９、電流検出用抵抗２０、電流検出回路２１、電流検出用ＡＤコンバータ２２、電子負荷２３、電子負荷ドライバ２４、電子負荷制御用ＤＡコンバータ２５、第１逆接続保護用ダイオード２６、第２逆接続保護用ダイオード２７、リレーＲＬ２８とを有している。
【００１２】
ここで、リレーＲＬ２８がオン状態にあり、接続ケーブル１１を介して、測定装置１のプラス端子１０１に太陽電池２のプラス出力が接続され、測定装置１のマイナス端子１０２に太陽電池２のマイナス出力が接続されているときには、太陽電池２の出力する直流電源電圧が、測定装置１のプラス端子１０１とマイナス端子１０２の間に印可され、この印可電圧が電圧検出回路１８によって検出された後、検出された電圧が電圧検出用ＡＤコンバータ１９でデジタル値に変換される。そして、制御部１７は、このデジタル値を電圧検出用ＡＤコンバータ１９より読み込むことにより、太陽電池２の出力電圧を取得することができる。
【００１３】
また、太陽電池２の出力する直流電源による出力電流が、プラス端子１０１-第１逆接続保護用ダイオード２６-リレーＲＬ２８-電子負荷２３-第２逆接続保護用ダイオード２７を通って、マイナス端子１０２に接続されている電流検出用抵抗２０に流れる。
そして、この電流検出用抵抗２０を流れる電流は、電流検出回路２１によって検出された後、検出された電圧が電流検出用ＡＤコンバータ２２でデジタル値に変換される。そして、制御部１７は、このデジタル値を電流検出用ＡＤコンバータ２２より読み込むことにより、太陽電池２の出力電流を取得することができる。
【００１４】
次に、電子負荷２３は、図２に示すように、IGBT（絶縁ゲートバイポーラトランジスタ）を用いた装置であり、ゲートＧに印可される電子負荷２３の制御電圧CNTVによって、IGBTのコレクタ電流Ic、したがって、太陽電池２から測定装置１に流れる、太陽電池２の出力電流を制限することができる素子である。
【００１５】
また、電子負荷ドライバ２４は、電子負荷制御用ＤＡコンバータ２５の出力を、アイソレーションと増幅を行った後にゲートＧに電子負荷２３の制御信号CNTVとして印可する装置である。
そして、制御部１７は、このような電子負荷制御用ＤＡコンバータ２５と電子負荷ドライバ２４を介して電子負荷２３のゲートＧに印可する電子負荷２３の制御電圧CNTVを操作することにより、太陽電池２から測定装置１に流れる、太陽電池２の出力電流を所望値に制御することができる。
【００１６】
以下、測定装置１の測定動作について説明する。
まず、制御部１７は、表示装置１３に図３ａに示すような測定条件設定画面を表示して、現在の、外気温やセル温度や日射量や太陽電池セル面積や短絡電流の温度変化率や解放電圧の温度変化率やセルの直列抵抗や他の曲線補正因子や表面汚れの有無や設置傾斜角度などの測定条件の設定を受けつける。そして、スイッチ１２によって測定開始が指示されたならば、以下に述べる測定処理を行って、太陽電池２の開放電圧Vocや短絡電流IscやI-V特性などの出力特性を測定し、測定結果を図３ｂに示すように表示装置１３に表示する。そして、タッチパネル１４の操作による保存指示に応じて、測定結果を保存する。ここで、以上のようにして保存された結果は、ＵＳＢインタフェースを介してＵＳＢ端子１５に接続された外部の装置に転送することができる。
【００１７】
さて、制御部１７は、前述した測定処理を以下のように行う。
図４に、測定処理の手順を示す。
図示するように、この処理では、まず、電子負荷２３の制御電圧CNTVを、Ｆ（0）に設定し（ステップ４０２）、リレーＲＬ２８をオンとし（ステップ４０４）、所定の期間ｎ１（たとえば、180ｍｓ）の経過を待って（ステップ４０６）、電圧検出用ＡＤコンバータ１９の出力するデジタル値から出力電圧を測定し、測定した電圧を開放電圧Vocとして保存する（ステップ４０８）。
【００１８】
ここで、Ｆ（x）は、電子負荷２３のIGBTの特性より定まる、コレクタ電流Icがｘに制限される電子負荷２３の制御電圧CNTVを表す。よって、電子負荷２３の制御電圧CNTVがＦ（0）のとき、太陽電池２からの出力電流は流れず、太陽電池２の出力は実質上、開放状態となる。
【００１９】
そして、次に、電子負荷制御電圧目標値TGを、F（SCi）に設定する（ステップ４１０）。ここで、SCiは、太陽電池２の出力を短絡させたときに流れると考えられる最大電流相当のコレクタ電流Icを表す。ただし、ここでは、Sciをたとえば10Aとする。また、F（SCi）としては、10Aの定電流源装置に電子負荷２３を接続したときに10Aのコレクタ電流Icが流れる、電子負荷２３の最小の制御電圧CNTVとして予め求めた値を用いる。
【００２０】
そして、ステップ４０８の出力電圧測定後、所定期間ｎ２（たとえば、20ｍｓ）の経過を待って（ステップ４１２）、電子負荷制御電圧目標値TGによる測定シーケンスを行って、太陽電池２の出力電流を測定し（ステップ４１４）、短絡電流Iscとして保存する（ステップ４１６）。ここで、ステップ４１４で行う、電子負荷制御電圧目標値TGによる測定シーケンスの内容については後述する。
【００２１】
そして、以降は、I-V特性の測定を行う。
すなわち、I-V特性のサンプル数（たとえば、101サンプル）-１をｍとして、0からｍまでの各ｊについて（ステップ４１８、４２８、４３２）、ステップ４１６で保存した短絡電流Iscを用いて、電子負荷制御電圧目標値TGをF｛Isc-(j×Isc/m)｝として（ステップ４２０、４３４）、電子負荷制御電圧目標値TGによる測定シーケンスを実施して、出力電流と出力電圧を測定し（ステップ４２４）、測定した出力電流と出力電圧を保存する（ステップ４２６）。言い換えれば、電子負荷制御電圧目標値TGを、当該電子負荷制御電圧目標値TGを電子負荷制御電圧CNTVとしたときに流れるコレクタ電流Icが、Isc から０までIsc/mづつ減少するように変化させながら、測定シーケンスを実施して出力電流と出力電圧を測定し保存する処理を、j=mに相当する最後の電子負荷制御電圧目標値TG=F(0)の測定シーケンスが完了するまで、ｍ+1回繰り返す。
【００２２】
ただし、F｛Isc-(j×Isc/m)｝は、10Aの定電流源装置に電子負荷２３を接続したときにIsc-(j×Isc/m)のコレクタ電流Icが流れる、電子負荷２３の制御電圧CNTVとして予め求めた値を用いる。
また、ステップ４２４で行う第１回目の測定シーケンスは、ステップ４１４の測定シーケンスが完了してから所定期間ｎ３（たとえば、80ｍｓ）経過してから行う（ステップ４２２）。また、ステップ４２４で行う２回目以降の測定シーケンスは、ｎ４、ｋを所定期間（たとえば、ｎ４は25ｍｓ、ｋは0.2ｍｓ）として、前回の測定シーケンスが完了してから、n4-(j×k)経過してから行う（ステップ４３６）。
【００２３】
そして、0からｍまでの各ｊについてのm+1回の測定シーケンスを実行して出力電流と出力電圧を保存したならば（ステップ４２８）、リレーＲＬ２８をオフし（ステップ４３０）、測定処理を終了する。
ここで、以上のような測定処理によれば、太陽電池２の測定は、図５ａに示すように行われる。
すなわち、電子負荷２３の制御電圧CNTVを、電子負荷２３の負荷が開放相当となるＦ（0）に設定した状態で、ａ１に示すように、リレーＲＬ２８をオンしたならば、ａ２に示すように、期間ｎ１の経過を待って、開放電圧Vocを測定する。
そして、次に、期間ｎ２の経過を待って、電子負荷制御電圧目標値TG=F（SCi）として測定シーケンスを行って、短絡電流Iscを測定する。
そして、期間ｎ３の経過を待ってI-V特性の測定を開始する。なお、期間ｎ３中、電子負荷２３の制御電圧CNTVは、電子負荷２３の負荷が開放相当となるＦ（0）に設定する。
I-V特性の測定では、電子負荷制御電圧目標値TGを、当該電子負荷制御電圧目標値TGを電子負荷制御電圧CNTVとしたときに流れるコレクタ電流Icが、Isc から０までIsc/mづつ減少するように変化させながら測定シーケンスをm+1回実施し、各回j（0からm）の測定シーケンスにおいて出力電流と出力電圧を測定する。ただし、各回の測定シーケンスは、間にインターバル期間を設けて間欠的に行う。また、このインターバル期間は、ｎ４から各回の測定シーケンスの実施の度にｋずつ減少させる。なお、インターバル期間中における電子負荷制御電圧CNTVは、電子負荷２３の負荷が開放相当となるF(0)とする。
【００２４】
ここで、各回の測定シーケンスにおいて電子負荷２３に流れるコレクタ電流Icは順次Isc/mずつ減少するために、各回の測定シーケンス毎に電子負荷２３の発熱量も小さくなり、その後に必要となる熱拡散による冷却に必要となる時間も短くて済むようになる。そこで、以上のように、インターバル期間を、各回の測定シーケンスの実施の度にｋずつ減少させることにより、不要なインターバル期間の長期化を排除して、測定完了までに要する時間を短縮することができるようになる。
【００２５】
そして、ｍ+1回の測定シーケンスが完了したならば、図５ａ１に示すようにリレーＲＬ２８をオフし、測定処理を終了する。
ここで、以上のような短絡電流Iscの測定、I-V特性の測定において行う、測定シーケンスの各回は図５ｂに示すように行う。
すなわち、まず、ｂ１に示すように2ｍｓの期間、電子負荷制御電圧CNTVを、F(Sci/10)に設定する。ここで、Sci/10は、太陽電池２の出力を短絡させたときに流れると考えられる最大電流の１/10の電流を表し、本実施形態では、たとえば、Sci/10=１Aとする。また、F(Sci/10)としては、10Aの定電流源装置に電子負荷２３を接続したときに１Aのコレクタ電流Icが流れる、電子負荷２３の制御電圧CNTVとして予め求めた値を用いる。
【００２６】
ここで、このように2ｍｓの期間、電子負荷制御電圧CNTVを、F(Sci/10)に設定することにより、図５ｂ４に示すように、この期間中に太陽電池２から測定装置１に流れる出力電流により太陽電池２のキャパシタンスの蓄電分の放電は完了することになる。
そして、次に、600μS、電子負荷制御電圧CNTVを、電子負荷制御電圧目標値TGに設定する。すなわち、短絡電流Iscを測定する測定シーケンスであれば、電子負荷制御電圧CNTVを最大10Aのコレクタ電流Icが流れるF（SCi）に設定し、I-V特性の測定におけるj回目の測定シーケンスであれば、電子負荷制御電圧CNTVを、Isc-(j×Isc/m)のコレクタ電流Icが流れるF｛Isc-(j×Isc/m)｝に設定する。
【００２７】
そして、このように電子負荷制御電圧CNTVを、電子負荷制御電圧目標値TGに設定したならば、ｂ２、ｂ３に示すように、520μS経過を待った後に、10μS間隔で交互に、電圧検出用ＡＤコンバータ１９の出力するデジタル値からの出力電圧の読み込みと、電流検出用ＡＤコンバータ２２の出力するデジタル値からの出力電流の読み込みとを、各々４回ずつ繰り返す。そして、読み込んだ各出力電圧の平均値を出力電圧の測定値とし、読み込んだ各出力電流の平均値を出力電流の測定値とする。なお、短絡電流Iscを測定する測定シーケンスにおいては、出力電圧の測定は省略するようにしてもよい。ここで、I-V特性の測定の各回の測定シーケンスにおいて、以上のように定めた電子負荷制御電圧目標値TGを電子負荷制御電圧CNTVに設定したときの、太陽電池２の出力電流は、およそ、Isc から０までIsc/mづつ減少することになる。よって、以上のようなI-V特性の測定によって、太陽電池のIsc/mのステップ幅毎の各出力電流値に対する太陽電池２の出力電圧値を測定できることになる。
【００２８】
ここで、前述のように、電子負荷制御電圧CNTVを電子負荷制御電圧目標値TGに設定する以前に、太陽電池２のキャパシタンスの蓄電分の放電は完了しているので、電子負荷制御電圧CNTVを電子負荷制御電圧目標値TGとしている期間が短くても、図５ｂ４に示すように出力電流は安定する。よって、大容量の太陽電池２についても、長期間大電流を測定装置１に流し続けることなく、その出力電流や出力電圧を正しく測定することができるようになる。
【００２９】
そして、600μS、電子負荷制御電圧CNTVを、電子負荷制御電圧目標値TGに設定した後は、電子負荷制御電圧CNTVを開放相当のF(0)に戻す。
さて、制御部１７は、以上のようにして測定処理を終了したならば、保存している開放電圧Vocや、短絡電流Iscや、I-V特性の測定で保存した出力電流と出力電圧に、上述した測定条件に応じた補正を施して、太陽電池２の開放電圧Vocや短絡電流IscやI-V特性の最終的な測定結果とし、前述のように表示装置１３に表示する。
【００３０】
以上、本発明の実施形態について説明した。
なお、本実施形態に係る測定装置１は、太陽電池の変換効率などの、他の太陽電池２の出力特性も計測するように構成してもよい。
また、以上の実施形態は、図２に点線２９で示すように、電流検出回路２１の出力を電子負荷ドライバ２５にフィードバックすると共、電子負荷ドライバ２５において、制御部１７から電子負荷制御用ＤＡコンバータ２５を介して指示された目標値が、電流検出回路２１において太陽電池２の出力電流として検出されるように、電子負荷２３の制御電圧CNTVをフィードバック制御するように構成してもよい。
【００３１】
すなわち、この場合には、図４に示した測定処理のステップ４１０において、電子負荷制御電圧目標値TGの設定に代えて、目標電流Tiを、太陽電池２の出力を短絡させたときに流れると考えられる最大電流Sci（たとえば、10A）に設定する。また、ステップ４２０と４３４において、電子負荷制御電圧目標値TGの設定に代えて、目標電流Tiを、Isc-(j×Isc/m)に設定する。
【００３２】
そして、ステップ４１４で実行する短絡電流Iscを測定する測定シーケンスでは、2ｍｓの期間、電子負荷制御用ＤＡコンバータ２５を介して目標値としてSci/10を電子負荷ドライバ２５に指示することにより、当該電子負荷ドライバ２５に、電流検出回路２１で検出される太陽電池２の出力電流がSci/10となるように電子負荷制御電圧CNTVをフィードバック制御させた後、次に、600μS、電子負荷制御用ＤＡコンバータ２５を介して目標値として目標電流Ti（ここでは、Sci）を電子負荷ドライバ２５に指示することにより、当該電子負荷ドライバ２５に、電流検出回路２１で検出される太陽電池２の出力電流が目標電流Tiとなるように電子負荷制御電圧CNTVをフィードバック制御させるようにする。
【００３３】
一方、ステップ４２４で実行するI-V特性の測定における測定シーケンスでは、2ｍｓの期間、電子負荷制御用ＤＡコンバータ２５を介して目標値としてSci/10を電子負荷ドライバ２５に指示することにより、当該電子負荷ドライバ２５に、電流検出回路２１で検出される太陽電池２の出力電流がSci/10となるように電子負荷制御電圧CNTVをフィードバック制御させた後、次に、600μS、電子負荷制御用ＤＡコンバータ２５を介して目標値として目標電流Ti（ここでは、Isc-(j×Isc/m）)を電子負荷ドライバ２５に指示することにより、電流検出回路２１で検出される太陽電池２の出力電流が目標電流Tiとなるように電子負荷制御電圧CNTVをフィードバック制御させるようにする。ただし、このステップ４２４で実行するI-V特性の測定における測定シーケンスにおける最初の2ｍｓの期間は、電子負荷制御用ＤＡコンバータ２５を介して目標値としてIsc/10を電子負荷ドライバ２５に指示することにより、当該電子負荷ドライバ２５に、電流検出回路２１で検出される太陽電池２の出力電流がIsc/10となるように電子負荷制御電圧CNTVをフィードバック制御させるようにしてもよい。
【００３４】
なお、これらの場合においても、各測定シーケンスの目標値として目標電流Tiを設定している600μS の期間中は、520μS経過を待った後に、10μS間隔で交互に、電圧検出用ＡＤコンバータ１９の出力するデジタル値からの出力電圧の読み込みと、電流検出用ＡＤコンバータ２２の出力するデジタル値からの出力電流の読み込みとを、各々４回ずつ繰り返す処理を行う。そして、読み込んだ各出力電圧の平均値を出力電圧の測定値とし、読み込んだ各出力電流の平均値を出力電流の測定値とする処理を行う。ただし、短絡電流Iscを測定する測定シーケンスにおいては、出力電圧の測定は省略してもよい。
【符号の説明】
【００３５】
１…測定装置、２…太陽電池、１１…接続ケーブル、１２…スイッチ、１３…表示装置、１４…タッチパネル、１５…ＵＳＢ端子、１６…ＵＳＢ通信インタフェース、１７…制御部、１８…電圧検出回路、１９…電圧検出用ＡＤコンバータ、２０…電流検出用抵抗、２１…電流検出回路、２２…電流検出用ＡＤコンバータ、２３…電子負荷、２４…電子負荷ドライバ、２５…電子負荷制御用ＤＡコンバータ、２６…第１逆接続保護用ダイオード、２７…第２逆接続保護用ダイオード、２８…リレーＲＬ。
【図１】
2011054887.tif 000003
【図２】
2011054887.tif 000004
【図３】
2011054887.tif 000005
【図４】
2011054887.tif 000006
【図５】
2011054887.tif 000007